(57)【要約】【課題】利用者が煩わしい操作を行うことなく、体温を測定し、測定された体温データに基づく提供データを得るとともに、測定された体温データが無意識のうちに利用できなくなってしまう可能性を低減する。【解決手段】体温を測定する体温センサ１１と、測定された体温データを記憶するメモリ１５と、メモリ１５に記憶された体温データを予め決められた時刻にて利用者端末２０に送信する処理部１７とを具備する体温測定デバイス１０と、体温測定デバイス１０から送信された体温データを取得するデータ取得部２８と、提供データを表示する表示部２７とを具備する利用者端末２０と、データ取得部２８にて取得された体温データに基づいて提供データを生成する演算部３３を具備する管理サーバ３０とを有する。【選択図】図１
2020024133.tif 000002
【特許請求の範囲】
【請求項１】
体温を測定するデバイスと、前記デバイスにて測定された体温に基づいて、利用者に提供する提供データを生成する外部装置とを有する体温データ管理システムであって、
前記デバイスは、
体温を測定する測定手段と、
前記外部装置との間にて通信を行う第１の通信手段と、
前記測定手段にて測定された体温データを記憶する記憶手段と、
前記測定手段にて測定された体温データを前記記憶手段に記憶させ、予め決められた時刻に通信開始信号を前記第１の通信手段を介して送信し、体温データを要求するデータ要求信号を前記第１の通信手段を介して受信した場合、前記記憶手段に記憶された体温データを前記第１の通信手段を介して送信する処理手段とを有し、
前記外部装置は、
前記デバイスとの間にて通信を行う第２の通信手段と、
前記通信開始信号を前記第２の通信手段を介して受信した場合に、前記データ要求信号を前記第２の通信手段を介して送信し、前記データ要求信号を受信したデバイスから送信された体温データを前記第２の通信手段を介して取得するデータ取得手段と、
前記データ取得手段にて取得された体温データに基づいて前記提供データを生成する演算手段と、
前記演算手段にて生成された提供データを表示する表示手段とを有する、体温データ管理システム。
【請求項２】
請求項１に記載の体温データ管理システムにおいて、
前記外部装置は、ネットワークを介して互いに通信可能な利用者端末とサーバとからなり、
前記利用者端末は、
前記第２の通信手段、前記データ取得手段及び前記表示手段と、
前記サーバとの間にて通信を行う第３の通信手段とを有し、
前記データ取得手段は、前記第２の通信手段を介して体温データを取得した場合、該体温データを前記第３の通信手段を介して前記サーバに送信し、前記サーバから送信された前記提供データを前記第３の通信手段を介して受信し、
前記表示手段は、前記データ取得手段にて受信された前記提供データを表示し、
前記サーバは、
前記演算手段と、
前記利用者端末の間にて通信を行う第４の通信手段とを有し、
前記演算手段は、前記利用者端末から送信された体温データを前記第４の通信手段を介して受信し、受信した体温データに基づいて前記提供データを生成し、該提供データを前記第４の通信手段を介して前記利用者端末に送信する、体温データ管理システム。
【請求項３】
請求項１または請求項２に記載の体温データ管理システムにおいて、
前記処理手段は、所定の期間分の体温データを前記第１の通信手段を介して送信した場合、前記記憶手段に記憶された体温データを消去する、体温データ管理システム。
【発明の詳細な説明】
【技術分野】
【０００１】
本発明は、測定した体温に基づいて基礎体温情報等の提供データを生成して表示する体温データ管理システムに関する。
【背景技術】
【０００２】
一般に妊娠のしやすさは、女性のホルモンバランスの変化による基礎体温の変化と密接に関連していることがよく知られている。基礎体温は、毎日一定時刻に測定することが好ましいが、例えば毎朝起床後に、体温計を舌下や脇下に密着させて一定時間安静状態を維持することは、朝のただでさえ時間がない中、余計な時間がとられることになり、精神的なストレスを受けてしまうことになりかねない。
【０００３】
特許文献１には、ショーツ等の下着に装着可能な身体温度情報端末装置が開示されている。この身体温度情報端末装置は、ケーシングに取り付けられたクリップによって下着に装着された状態で体温を測定するため、就寝中において体温を測定することができる。その後、利用者が、身体温度情報端末装置を、中継ケーブルや、赤外線等の無線を介して携帯端末等に接続し、測定された体温データを携帯端末等に送信することで、測定された体温データに基づく月経周期等の情報が携帯端末等にて分析され、利用者に提供されることになる。
【先行技術文献】
【特許文献】
【０００４】
【特許文献１】特許第３９０９３０１号公報
【発明の概要】
【発明が解決しようとする課題】
【０００５】
特許文献１に開示されたものは、就寝中に体温を測定することができるため、例えば毎朝起床後に、体温計を舌下や脇下に密着させて一定時間安静状態を維持することはない。
【０００６】
しかしながら、測定された体温データに基づく月経周期等の情報を利用者が得るためには、身体温度情報端末装置を、中継ケーブルや無線を介して携帯端末等に接続し、身体温度情報端末装置や携帯端末を利用者が操作することで、測定された体温データを携帯端末等に送信するという作業が発生することになる。そのため、利用者に煩わしさが生じ、毎日継続して基礎体温を測定することが億劫になってしまう虞がある。
【０００７】
また、身体温度情報端末装置にて測定された体温データは、身体温度情報端末装置内のメモリに記憶されることになるが、利用者が体温データを携帯端末等に送信することを失念したり怠っていたりすると、その間に、デバイスのバッテリーの残量がなくなったり、リセット操作等の誤った操作が行われたりすることによって、折角測定した体温データが消去されてしまう虞がある。また、メモリ容量を有効利用するために、記憶されてから一定時間を経過した体温データが自動的に消去される構成となっている場合においても、利用者が体温データを携帯端末等に送信することを失念したり怠っていたりすると、測定された体温データが、記憶されてから一定時間を経過すると自動的に消去されてしまい、利用できなくなってしまうという問題点がある。
【０００８】
本発明は、上述したような従来の技術が有する問題点に鑑みてなされたものであって、利用者が煩わしい操作を行うことなく、体温を測定し、測定された体温データに基づく提供データを得ることができるとともに、測定された体温データが無意識のうちに利用できなくなってしまう可能性を低減できる体温データ管理システムを提供することを目的とする。
【課題を解決するための手段】
【０００９】
上記目的を達成するために本発明は、
体温を測定するデバイスと、前記デバイスにて測定された体温に基づいて、利用者に提供する提供データを生成する外部装置とを有する体温データ管理システムであって、
前記デバイスは、
体温を測定する測定手段と、
前記外部装置との間にて通信を行う第１の通信手段と、
前記測定手段にて測定された体温データを記憶する記憶手段と、
前記測定手段にて測定された体温データを前記記憶手段に記憶させ、予め決められた時刻に通信開始信号を前記第１の通信手段を介して送信し、体温データを要求するデータ要求信号を前記第１の通信手段を介して受信した場合、前記記憶手段に記憶された体温データを前記第１の通信手段を介して送信する処理手段とを有し、
前記外部装置は、
前記デバイスとの間にて通信を行う第２の通信手段と、
前記通信開始信号を前記第２の通信手段を介して受信した場合に、前記データ要求信号を前記第２の通信手段を介して送信し、前記データ要求信号を受信したデバイスから送信された体温データを前記第２の通信手段を介して取得するデータ取得手段と、
前記データ取得手段にて取得された体温データに基づいて前記提供データを生成する演算手段と、
前記演算手段にて生成された提供データを表示する表示手段とを有する。
【００１０】
上記のように構成された本発明においては、デバイスの測定手段にて測定された体温データがデバイスの記憶手段に記憶された状態において、予め決められた時刻になると、デバイスの処理手段において通信開始信号が第１の通信手段を介して送信される。デバイスの処理手段から送信された通信開始信号が外部装置の第２の通信手段を介してデータ取得手段にて受信されると、体温データを要求するデータ要求信号がデータ処理手段から第２の通信手段を介して送信される。その後、データ取得手段から送信されたデータ要求信号がデバイスの処理手段にて受信されると、記憶手段に記憶された体温データがデバイスから第１の通信手段を介して送信され、第２の通信手段を介して外部装置のデータ取得手段にて取得されることになる。そして、外部装置の演算手段において、データ取得手段にて取得された体温データに基づいて、利用者に提供する提供データが生成され、生成された提供データが外部装置の表示手段にて表示される。
【００１１】
このようにして、デバイスにて測定された体温データが、予め決められた時刻に外部装置にて自動的に取得され、取得された体温データに基づいて提供データが生成されるので、利用者が、デバイスにて測定された体温データを、体温データに基づいて提供データを生成する外部装置に送信する作業を行う必要がなく、また、デバイスに記憶された体温データがいつまでも外部装置に送信されなかった場合等において、測定された体温データが消去されて利用できなくなってしまう可能性が低減することになる。
【００１２】
また、外部装置は、ネットワークを介して互いに通信可能な利用者端末とサーバとから構成してもよい。
【００１３】
その場合、利用者端末が、第２の通信手段、データ取得手段及び表示手段と、サーバとの間にて通信を行う第３の通信手段とを有し、データ取得手段が、第２の通信手段を介して体温データを取得した場合、取得した体温データを第３の通信手段を介してサーバに送信し、サーバから送信された提供データを第３の通信手段を介して受信し、表示手段が、データ取得手段にて受信された提供データを表示し、また、サーバが、演算手段と、利用者端末の間にて通信を行う第４の通信手段とを有し、演算手段が、利用者端末から送信された体温データを第４の通信手段を介して受信し、受信した体温データに基づいて提供データを生成し、その提供データを第４の通信手段を介して利用者端末に送信する構成とすることが考えられる。
【００１４】
外部装置を、上記のような構成とすることで、利用者端末における処理負荷を低減することができるとともに、例えば、利用者端末にて一日分のデータのみを取扱い、サーバにて複数日あるいは複数人の体温データを用いた分析を行う構成とすることもできる。
【００１５】
また、処理手段が、所定の期間分の体温データを前記第１の通信手段を介して送信した場合、記憶手段に記憶された体温データを消去する構成とすれば、利用者端末に送信された体温データがデバイスの記憶手段から消去されることとなり、記憶手段の容量を有効利用することができる。
【発明の効果】
【００１６】
本発明によれば、デバイスにて測定された体温データが、予め決められた時刻に外部装置にて自動的に取得され、取得された体温データに基づいて提供データが生成されるため、利用者が煩わしい操作を行うことなく、体温を測定し、測定された体温データに基づく提供データを得ることができるとともに、測定された体温データが無意識のうちに利用できなくなってしまう可能性を低減できる。
【００１７】
また、外部装置を、ネットワークを介して互いに通信可能な利用者端末とサーバとから構成し、利用者端末が、第２の通信手段、データ取得手段及び表示手段と、サーバとの間にて通信を行う第３の通信手段とを有し、データ取得手段が、第２の通信手段を介して体温データを取得した場合、取得した体温データを第３の通信手段を介してサーバに送信し、サーバから送信された提供データを第３の通信手段を介して受信し、表示手段が、データ取得手段にて受信された提供データを表示し、また、サーバが、演算手段と、利用者端末の間にて通信を行う第４の通信手段とを有し、演算手段が、利用者端末から送信された体温データを第４の通信手段を介して受信し、受信した体温データに基づいて提供データを生成し、その提供データを第４の通信手段を介して利用者端末に送信する構成としたものにおいては、利用者端末における処理負荷を低減することができるとともに、例えば、利用者端末にて一日分のデータのみを取扱い、サーバにて複数日あるいは複数人の体温データを用いた分析を行う構成とすることもできる。
【００１８】
また、処理手段が、所定の期間分の体温データを前記第１の通信手段を介して送信した場合、記憶手段に記憶された体温データを消去するものにおいては、利用者端末に送信された体温データが記憶手段から消去されることとなり、記憶手段の容量を有効利用することができる。
【図面の簡単な説明】
【００１９】
【図１】本発明の体温データ管理システムの第１の実施の形態を示す図である。
【図２】図１に示した体温測定デバイスの装着状態の一例を示す図である。
【図３】図１に示した体温測定デバイスにおける測定処理を説明するためのフローチャートである。
【図４】図１に示した体温データ管理システムにおいて、体温測定デバイスにて測定された体温データが利用者端末にて取得され、取得された体温データに基づいて管理サーバにて提供データが生成されるまでの処理を説明するためのフローチャートである。
【図５】図１に示した体温データ管理システムにおいて管理サーバにて生成された提供データを利用者端末にてダウンロードして表示する処理を説明するためのフローチャートである。
【図６】本発明の体温データ管理システムの第２の実施の形態を示す図である。
【図７】図６に示した体温データ管理システムにおいて、体温測定デバイスにて測定された体温データが利用者端末にて取得され、取得された体温データに基づいて提供データが生成されるまでの処理を説明するためのフローチャートである。
【発明を実施するための形態】
【００２０】
以下に、本発明の実施の形態について図面を参照して説明する。
【００２１】
（第１の実施の形態）
図１は、本発明の体温データ管理システムの第１の実施の形態を示す図である。
【００２２】
本形態は図１に示すように、体温測定デバイス１０と、外部装置となる利用者端末２０及び管理サーバ３０とを有して構成されている。
【００２３】
体温測定デバイス１０は、人体に着用される衣類に装着され、人体の体温を測定するデバイスであって、体温センサ１１と、外部温度センサ１２と、日時タイマ１３と、アラームランプ１４と、メモリ１５と、ＢＬＥ通信部１６と、処理部１７とを有している。
【００２４】
体温センサ１１は、本願発明における測定手段となるものである。体温センサ１１は、体温測定デバイス１０が装着された衣類を着用した人体の皮膚に接することで、皮膚の温度を体温として測定する。
【００２５】
外部温度センサ１２は、体温測定デバイス１０の外部温度を測定する。
【００２６】
日時タイマ１３は、日時を計測するタイマである。
【００２７】
アラームランプ１４は、体温測定デバイス１０の充電時や充電不足時、あるいは体温センサ１１及び外部温度センサ１２を用いた温度測定時に点滅または点灯する。
【００２８】
メモリ１５は、本願発明における記憶手段となるものである。メモリ１５には、体温測定デバイス１０固有のデバイスＩＤが記憶されているとともに、体温センサ１１にて測定された体温データと外部温度センサ１２にて測定された外部温度データとが記憶される。さらに、メモリ１５には、体温センサ１１及び外部温度センサ１２における測定の開始時刻及び、開始時刻から測定を終了するまでの時間、並びに、メモリ１５に記憶された体温データ及び外部温度データの利用者端末２０への送信を開始する時刻として、体温センサ１１及び外部温度センサ１２における測定の開始時刻からの時間が記憶されている。
【００２９】
ＢＬＥ通信部１６は、本願発明における第１の通信手段となるものである。ＢＬＥ通信部１６は、ＢＬＥ（Bluetooth Low Energy）規格に従って、利用者端末２０との間にて近距離無線通信を行う。
【００３０】
処理部１７は、メモリ１５に記憶された測定条件に基づく時刻にて、体温センサ１１にて体温を測定するとともに、外部温度センサ１２にて体温測定デバイス１０の外部温度を測定する。また、処理部１７は、体温センサ１１にて測定された体温と、外部温度センサ１２にて測定された外部温度とを体温データ及び外部温度データとしてメモリ１５に記憶させ、体温センサ１１及び外部温度センサ１２が測定されてからメモリ１５に記憶された時間が経過した後に、通信開始信号となるアドバタイズ信号をＢＬＥ通信部１６を介して送信し、その後、利用者端末２０から送信された、体温データを要求する体温データ要求信号をＢＬＥ通信部１６を介して受信した場合、メモリ１５に記憶された体温データ及び外部温度データを、ＢＬＥ通信部１６を介して利用者端末２０に送信する。さらに、処理部１７は、アラームランプ１４における警告の出力も制御する。
【００３１】
利用者端末２０は、スマートフォン等の通信ネットワーク４０に接続可能なモバイル端末であって、ＢＬＥ通信部２１と、ネット通信部２２と、操作部２３と、日時タイマ２４と、アラーム出力部２５と、メモリ２６と、表示部２７と、データ取得部２８とを有している。
【００３２】
ＢＬＥ通信部２１は、本願発明における第２の通信手段となるものである。ＢＬＥ通信部２１は、ＢＬＥ規格に従って、体温測定デバイス１０との間にて近距離無線通信を行う。
【００３３】
ネット通信部２２は、本願発明における第３の通信手段となるものである。ネット通信部２２は、通信ネットワーク４０に接続可能に構成され、通信ネットワーク４０を介して管理サーバ３０との間にて通信を行う。
【００３４】
操作部２３は、例えば、表示部２７上に積層されたタッチパネル等から構成され、情報を入力したり、表示部２７に表示された情報を選択したりするためのものである。
【００３５】
日時タイマ２４は、日時を計測するタイマである。
【００３６】
アラーム出力部２５は、ＢＬＥ通信部２１を介した体温測定デバイス１０との通信状態等に応じてエラーメッセージ等の警告を出力する。
【００３７】
メモリ２６は、利用者端末２０固有の端末ＩＤの他、体温測定デバイス１０のデバイスＩＤを記憶している。体温測定デバイス１０のデバイスＩＤは、体温測定デバイス１０の初期設定時に利用者端末２０とペアリングする際に、体温測定デバイス１０から取得され、メモリ２６に記憶される。また、メモリ２６には、体温測定デバイス１０から取得した体温データ及び外部温度データが一時的に記憶される。
【００３８】
表示部２７は、メモリ２６に記憶された情報やネット通信部２２を介して受信した情報を表示する。
【００３９】
データ取得部２８は、利用者端末２０の全体の動作を制御する制御部の一部として構成されている。データ取得部２８は、体温測定デバイス１０から送信されたアドバタイズ信号をＢＬＥ通信部２１を介して受信した場合に、体温データを要求する体温データ要求信号をＢＬＥ通信部２１を介して送信し、その後、これに対して体温測定デバイス１０から送信された体温データ及び外部温度データをＢＬＥ通信部２１を介して取得する。そしてデータ取得部２８は、体温測定デバイス１０から取得した体温データ及び外部温度データを、メモリ２６に一時的に記憶させ、ネット通信部２２を介して管理サーバ３０に送信する。
【００４０】
管理サーバ３０は、ネット通信部３１と、日時タイマ３２と、演算部３３と、データベース３４と、データ提供部３５とを有している。
【００４１】
ネット通信部３１は、本願発明における第４の通信手段となるものである。ネット通信部３１は、通信ネットワーク４０に接続可能に構成され、通信ネットワーク４０を介して利用者端末２０との間にて通信を行う。
【００４２】
日時タイマ３２は、日時を計測するタイマである。
【００４３】
演算部３３は、利用者端末２０から送信された体温データ及び外部温度データをネット通信部３１を介して受信した場合、データベース３４に登録された利用者データを参照し、ネット通信部３１を介して受信した体温データ及び外部温度データを用いた所定の演算を行うことで、利用者端末２０のユーザに提供する提供データを生成してデータベース３４に登録する。
【００４４】
データベース３４には、本システムによるサービスの利用者の生年月日や身長、体重等の属性情報の他、初期設定時に利用者が利用者端末２０を介して入力した情報が登録されている。また、データベース３４には、利用者端末２０の端末ＩＤが、この利用者端末２０とペアリングされた体温測定デバイス１０のデバイスＩＤと対応づけて登録されている。さらに、データベース３４には、ネット通信部３１を介して利用者端末２０から受信した体温データ及び外部温度データと、演算部３３にて生成された提供データが登録されている。
【００４５】
データ提供部３５は、利用者端末２０からのログインに応じて、データベース３４に登録された提供データを検索し、検索した提供データを、ネット通信部３１を介して利用者端末２０に送信する。
【００４６】
以下に、上記のように構成された体温データ管理システムにおける処理について説明する。
【００４７】
まず、利用者が本システムに登録する際の初期設定時の処理について説明する。
【００４８】
上記のように構成された体温データ管理システムによるサービスを受けるためには、利用者はまず、初期設定として、管理サーバ３０に利用者登録をするとともに、体温測定デバイス１０を利用者端末２０とペアリングする必要がある。
【００４９】
利用者は、管理サーバ３０が提供する利用者登録画面に利用者端末２０を用いてアクセスし、表示部２７に表示された画面に従って、指定される利用者情報を入力することになる。例えば、ニックネームや生年月日、身長、体重等の属性情報や平均的な就寝時刻を入力したり、ログインＩＤを指定したりする。またその際、利用者端末２０において、体温測定デバイス１０とのペアリング処理によって、体温測定デバイス１０のデバイスＩＤがＢＬＥ通信部２１を介して取得される。
【００５０】
利用者が入力、指定した情報は、表示部２７に表示された送信ボタンが操作部２３を介して押下されることで、ネット通信部２２から送信され、通信ネットワーク４０を介して管理サーバ３０にて受信される。またその際、利用者端末２０の端末ＩＤと体温測定デバイス１０のデバイスＩＤとが対応づけられてネット通信部２２から送信され、通信ネットワーク４０を介して管理サーバ３０にて受信される。
【００５１】
管理サーバ３０においては、利用者端末２０から送信されてきた情報がネット通信部３１を介して受信されると、受信された情報がデータベース３４に登録される。それにより、データベース３４には、本システムによるサービスの利用者毎に、ニックネームや生年月日、身長、体重等の属性情報や、平均的な就寝時刻や、ログインＩＤ、さらに、利用者端末２０の端末ＩＤと体温測定デバイス１０のデバイスＩＤとが対応づけて登録されることになる。
【００５２】
その後、サービスの利用者は、管理サーバ３０が提供するイベント情報登録画面に利用者端末２０を用いて適当なタイミングでアクセスし、表示部２７に表示された画面に従って、イベント情報として、生理開始の有無や性交渉の有無、飲酒の有無、寝不足の有無、服薬の有無、おりものの有無等の情報を入力して管理サーバ２０に送信することで、これらの情報も管理サーバ３０のデータベース３４に登録することができる。
【００５３】
このようにしてサービスの利用者に関する情報と、利用者端末２０の端末ＩＤ及び体温測定デバイス１０のデバイスＩＤとが管理サーバ３０のデータベース３４に登録された後、利用者はサービスを利用することになる。
【００５４】
次に、図１に示した体温測定デバイス１０の装着方法について説明する。
【００５５】
図２は、図１に示した体温測定デバイス１０の装着状態の一例を示す図である。
【００５６】
図１に示した体温データ管理システムにおけるサービスを利用する場合は、サービスの利用者の就寝時において、例えば図２に示すように、利用者２が着用する下着１に体温測定デバイス１０を装着する。その際、体温測定デバイス１０はクリップ等によって下着１に装着することが考えられるが、体温センサ１１が、利用者２の皮膚の温度を測定するものであるため、下着１の裏側において体温センサ１１が利用者２の皮膚に接するように体温測定デバイス１０を下着１に装着する。
【００５７】
次に、図１に示した体温測定デバイス１０における測定処理について説明する。
【００５８】
図３は、図１に示した体温測定デバイス１０における測定処理を説明するためのフローチャートである。
【００５９】
図１に示した体温測定デバイス１０においては、日時タイマ１３にて計測される日時が、メモリ１５に記憶された測定開始時刻の例えば２時間前になると（ステップ１）、処理部１７において、第１の間隔である例えば３０分間隔で体温センサ１１及び外部温度センサ１２を用いた測定が行われる（ステップ２）。例えば、メモリ１５に記憶された測定開始時刻が午後１０時である場合は、午後８時になると上記測定が開始される。なお、測定開始時刻としては、一般的な就寝時刻がメモリ１５に予め記憶されているが、利用者が体温測定デバイス１０を初期設定する際に、利用者端末２０を操作することで利用者の就寝時刻を指定して体温測定デバイス１０に送信することで、指定した就寝時刻を測定開始時刻としてメモリ１５に記憶させることも考えられる。
【００６０】
処理部１７においては、体温センサ１１にて測定された温度が、例えば３３℃以上であるかどうかが確認され（ステップ３）、体温センサ１１にて測定された温度が３３℃以上である場合は、利用者が就寝していると判断される。これは、人体の体温が３３℃以上であることから、体温センサ１１にて測定された温度が３３℃以上であれば、利用者が就寝時に体温測定デバイス１０を下着に装着していることで、体温センサ１１が利用者２の皮膚に接触していると判断できるためである。
【００６１】
体温センサ１１にて測定された温度が３３℃以上である場合、すなわち、利用者が就寝していると判断された場合は、処理部１７において、第１の間隔よりも短い第２の間隔である例えば５分間隔で体温センサ１１及び外部温度センサ１２を用いた測定が行われる（ステップ４）。第２の間隔で体温センサ１１及び外部温度センサ１２にて測定された温度は、逐次測定時刻とともにメモリ１５に記憶されていく。
【００６２】
その後、ステップ４における測定開始時刻から、メモリ１５に記憶された時間である、例えば６時間が経過すると（ステップ５）、処理部１７における体温センサ１１及び外部温度センサ１２を用いた測定が終了する（ステップ６）。例えば、午後１０時から測定が行われた場合は、次の日の午前４時になると、測定が終了することになる。
【００６３】
なお、体温測定デバイス１０は、体温センサ１１及び外部温度センサ１２を用いた測定、メモリ１５に記憶された体温データ及び外部温度データの利用者端末２０への送信、並びに、体温データ及び外部温度データを利用者端末２０に送信するためにデバイスＩＤを送信するタイミング以外の期間においては、スリープ状態となっており、それにより、電源（不図示）の無駄な消耗が回避されている。
【００６４】
また、上述した一連の処理においては、処理部１７において、体温センサ１１にて測定された温度が３３℃以上である場合に、利用者が就寝していると判断し、体温センサ１１及び外部温度センサ１２における測定間隔を第１の間隔から第２の間隔に変更しているが、体温センサ１１にて測定された温度の変化率が所定値以上であった場合でも、体温センサ１１が利用者の皮膚に接することで、測定された温度が急激に上昇したものと考えられるため、体温センサ１１及び外部温度センサ１２における測定間隔を第１の間隔から第２の間隔に変更することとしてもよい。
【００６５】
また、体温センサ１１及び外部温度センサ１２における測定の開始時刻とともにメモリ１５に記憶しておく条件として、開始時刻から測定を終了するまでの時間の代わりに、測定の終了時刻を記憶しておいてもよい。その場合、メモリ１５に記憶された測定終了時刻になると、処理部１７における体温センサ１１及び外部温度センサ１２を用いた測定が終了することになる。
【００６６】
次に、図１に示した体温データ管理システムにおいて、体温測定デバイス１０にて測定された体温データが利用者端末２０にて取得され、取得された体温データに基づいて管理サーバ３０にて提供データが生成されるまでの処理について説明する。
【００６７】
図４は、図１に示した体温データ管理システムにおいて、体温測定デバイス１０にて測定された体温データが利用者端末２０にて取得され、取得された体温データに基づいて管理サーバ３０にて提供データが生成されるまでの処理を説明するためのフローチャートである。
【００６８】
スリープ状態となっている体温測定デバイス１０は、体温センサ１１及び外部温度センサ１２における測定の開始時刻から日時タイマ１３にて計測される経過時間が、メモリ１５に予め決められた時刻として記憶された時間となると（ステップ１１，１２）、処理部１７において、通信開始信号となるアドバタイズ信号がＢＬＥ通信部１６を介して送信される（ステップ１３）。例えば、メモリ１５には、例えば体温センサ１１及び外部温度センサ１２における測定の開始時刻から４時間後という時間が設定されている。なお、アドバタイズ信号は、体温測定デバイス１０の存在を示すものであり、体温測定デバイス１０のデバイスＩＤ等の識別情報が含まれている。
【００６９】
一方、待機状態にある利用者端末２０において、体温測定デバイス１０から送信されたアドバタイズ信号が利用者端末２０のＢＬＥ通信部２１を介してデータ取得部２８にて受信されると（ステップ１４，１５）、データ取得部２８において、体温データを要求する体温データ要求信号がＢＬＥ通信部２１を介して送信される（ステップ１６）。
【００７０】
その後、体温測定デバイス１０の処理部１７において、利用者端末２０から送信された体温データ要求信号がＢＬＥ通信部１６を介して受信されると（ステップ１７）、メモリ１５に記憶された体温データ及び外部温度データが読み出され、デバイスＩＤとともにＢＬＥ通信部１６を介して利用者端末２０に送信される（ステップ１８）。
【００７１】
そして、体温測定デバイス１０から送信された体温データ及び外部温度データが、利用者端末２０のＢＬＥ通信部２１を介してデータ取得部２８にて受信されると、取得された体温データ及び外部温度データがメモリ２６に一時的に記憶される（ステップ１９）。これにより、体温測定デバイス１０にて測定された体温データ及び外部温度データが利用者端末２０にて自動的に取得されることになる。なお、本形態においては、体温測定デバイス１０にて体温データ及び外部温度データが測定、記憶され、これら体温データ及び外部温度データが利用者端末２０にて取得される構成となっているが、これは、後述するように、本形態では、管理サーバ３０にて提供データを生成する際に体温データ及び外部温度データを用いるためであり、体温データのみを体温測定デバイス１０にて測定し、利用者端末２０にて取得されるものであってもよい。すなわち、本形態における体温データ及び外部温度データを含めて体温データと称してもよい。
【００７２】
なお、本形態においては、体温測定デバイス１０の体温センサ１１及び外部温度センサ１２における体温データ及び外部温度データの測定の開始時刻から４時間後に、利用者端末２０にて体温データ及び外部温度データを取得しているが、これは、後述する体温データ及び外部温度データを用いた演算のために十分な時間分であれば、４時間に限らない。また、上述したように、体温センサ１１及び外部温度センサ１２における体温データ及び外部温度データの測定が６時間行われるのであれば、体温測定デバイス１０の体温センサ１１及び外部温度センサ１２における体温データ及び外部温度データの測定の開始時刻から６時間後に、利用者端末２０にて体温データ及び外部温度データを取得する構成とすることで、体温測定デバイス１０にて測定された体温データ及び外部温度データを利用者端末２０にて一度に取得することができる。
【００７３】
その後、利用者端末２０においては、メモリ２６に一時的に記憶された体温データ及び外部温度データが読み出され、その測定時刻と利用者端末２０の端末ＩＤ及び体温測定デバイス１０のデバイスＩＤとともにネット通信部２２を介して送信される（ステップ２０）。
【００７４】
これにより、利用者が就寝時に図２に示したように体温測定デバイス１０を下着１に装着し、利用者端末２０を、例えば、枕元等の体温測定デバイス１０のＢＬＥ通信部１６と利用者端末２０のＢＬＥ通信部２１とが通信可能な距離に置いておくことで、利用者が起床した時には、就寝中に体温測定デバイス１０にて測定された体温データ及び外部温度データの利用者端末２０への送信が完了していることになる。
【００７５】
一方、体温測定デバイス１０においては、１日分の体温データ及び外部温度データを全て利用者端末２０に送信した後（ステップ２１）、処理部１７によって、メモリ１５に記憶された体温データ及び外部温度データが消去される（ステップ２２）。
【００７６】
このように、体温測定デバイス１０から１日分の体温データ及び外部温度データが利用者端末２０に全て送信された場合、メモリ１５に記憶された体温データ及び外部温度データが消去される構成とすることで、利用者端末２０に送信された体温データがメモリ１５から消去されることとなり、メモリ１５の容量を有効利用することができる。
【００７７】
利用者端末２０からその測定時刻と利用者端末２０の端末ＩＤ及び体温測定デバイス１０のデバイスＩＤとともに送信された体温データ及び外部温度データは、通信ネットワーク４０を介して管理サーバ３０にて受信される（ステップ２３）。
【００７８】
管理サーバ３０においては、利用者端末２０から送信された体温データ及び外部温度データがネット通信部３１にて受信されると、まず、管理サーバ３０から利用者端末２０に対して、体温データ及び外部温度データを正常に受信した旨を示す受信完了信号が通信ネットワーク４０を介して送信される（ステップ２４）。
【００７９】
管理サーバ３０から送信された受信完了信号が利用者端末２０のネット通信部２２を介してデータ取得部２８にて受信されると（ステップ２５）、データ取得部２８によって、メモリ２６に記憶された体温データ及び外部温度データが消去され（ステップ２６）、利用者端末２０は、待機状態に移行する（ステップ２７）。
【００８０】
その後、演算部３３においては、受信された体温データ及び外部温度データに基づいて、利用者端末２０に提供する提供データの一部となる基礎体温データが算出される。基礎体温データの算出は、例えば、利用者端末２０から受信した体温データ及び外部温度データから不要なデータを削除した上で、フーリエの法則によって外部温度データを用いて体温データを補正し、その後、平均値を算出することで行うことが考えられる。
【００８１】
また、演算部３３において、体温データ及び外部温度データとともに受信された端末ＩＤ及びデバイスＩＤに対応づけられた利用者の属性情報や就寝時刻、あるいは、イベント情報として登録された、生理開始の有無や性交渉の有無、飲酒の有無、寝不足の有無、服薬の有無、おりものの有無等による、生理日、性交渉日、飲酒日、寝不足日等の情報がデータベース３４から抽出される。
【００８２】
そして、演算部３３において、算出された基礎体温データと、データベース３４から抽出された生理日、性交渉日、飲酒日、寝不足日等の情報とに基づいて、生理の予測日、排卵の予測日、妊娠のしやすさ等が演算して求められることで提供データが生成される（ステップ２８）。生成された提供データは、利用者端末２０の端末ＩＤ及び体温測定デバイス１０のデバイスＩＤと対応づけられてデータベース３４に登録される。
【００８３】
次に、管理サーバ３０にて生成された提供データを利用者端末２０にてダウンロードして表示する処理について説明する。
【００８４】
図５は、図１に示した体温データ管理システムにおいて管理サーバ３０にて生成された提供データを利用者端末２０にてダウンロードして表示する処理を説明するためのフローチャートである。
【００８５】
上記のようにして、利用者端末２０にて取得された体温データ及び外部温度データがその測定時刻と利用者端末２０の端末ＩＤ及び体温測定デバイス１０のデバイスＩＤとともにネット通信部２２を介して送信された後、利用者が、利用者端末２０にて管理サーバ３０から提供されたアプリを起動させることで、管理サーバ３０のサイトにログインがなされると（ステップ４１）、管理サーバ３０のデータ提供部３５にてログインが受け付けられる（ステップ４２）。
【００８６】
すると、データ提供部３５において、ログインに伴って利用者端末２０から送信されてくる端末ＩＤに対応づけて登録された基礎体温データを含む提供データがデータベース３４から検索され、ネット通信部３１を介して送信される（ステップ４３）。
【００８７】
管理サーバ３０から送信された提供データは、通信ネットワーク４０を介して利用者端末２０にて受信される（ステップ４４）。
【００８８】
利用者端末２０においては、管理サーバ３０から送信された提供データがネット通信部２２を介してデータ取得部２８にて受信され、データ取得部２８において、受信された提供データが、操作部２３にて指定された条件に応じた形態に加工され、表示部２７に表示されることになる（ステップ４５）。例えば、基礎体温データがグラフ表示されたり、過去の生理日が一覧表となって表示されたり、あるいは、次の生理や排卵の予測日が数値として表示されたりする。
【００８９】
上述したように、本形態においては、体温測定デバイス１０にて測定された体温データが、予め決められた時刻に利用者端末２０にて自動的に取得され、取得された体温データが管理サーバ３０に送信され、管理サーバ３０において、体温データに基づいて提供データが生成されるため、利用者が煩わしい操作を行うことなく、体温を測定し、測定された体温データに基づく提供データを得ることができるとともに、測定された体温データが無意識のうちに利用できなくなってしまう可能性を低減できる。
【００９０】
また、体温測定デバイス１０にて測定された体温データを自動的に取得する処理と、生成された提供データを表示する処理とを利用者端末２０が行い、体温測定デバイス１０にて測定された体温データに基づいて提供データを生成する処理を管理サーバ３０が行う構成とすることにより、利用者端末２０における処理負荷を低減することができるとともに、例えば、利用者端末２０にて一日分のデータのみを取扱い、管理サーバ３０にて複数日あるいは複数人の体温データを用いた分析を行う構成とすることもできる。
【００９１】
このように構成された体温管理システムは、体温測定デバイス１０にて利用者の就寝中に測定された体温データ及び外部温度データに基づいて、様々な提供データが生成されることで、排卵予定日の情報に基づく妊活への利用の他、避妊やダイエット活動への利用が考えられる。
【００９２】
なお、体温測定デバイス１０にて測定され、メモリ１５に一時的に記憶された体温データ及び外部温度データのうち朝までに利用者端末２０に送信されなかったデータがある場合は、管理サーバ３０において、利用者端末２０にてとりあえず取得された体温データ及び外部温度データを用いて提供データを生成し、暫定的なものとして利用者端末２０にて表示出力し、その後、残りの体温データ及び外部温度データを次の日の夜に利用者端末２０にて取得し、管理サーバ３０にアップロードすることで暫定的な提供データを修正して利用者端末２０にて表示出力する構成とすることが考えられる。
【００９３】
（第２の実施の形態）
図６は、本発明の体温データ管理システムの第２の実施の形態を示す図である。
【００９４】
本形態は図６に示すように、図１に示したものに対して、外部装置が利用者端末１２０のみから構成されている点が異なるものである。
【００９５】
本形態における利用者端末１２０は、スマートフォン等の通信ネットワーク４０に接続可能なモバイル端末であって、ＢＬＥ通信部２１と、操作部２３と、日時タイマ２４と、アラーム出力部２５と、メモリ２６と、表示部２７と、データ取得部２８と、演算部２９とを有している。
【００９６】
ＢＬＥ通信部２１は、本願発明における第２の通信手段となるものである。ＢＬＥ通信部２１は、ＢＬＥ規格に従って、体温測定デバイス１０との間にて近距離無線通信を行う。
【００９７】
操作部２３は、例えば、表示部２７上に積層されたタッチパネル等から構成され、情報を入力したり、表示部２７に表示された情報を選択したりするためのものである。
【００９８】
日時タイマ２４は、日時を計測するタイマである。
【００９９】
アラーム出力部２５は、ＢＬＥ通信部２１を介した体温測定デバイス１０との通信状態等に応じてエラーメッセージ等の警告を出力する。
【０１００】
メモリ２６は、利用者端末１２０固有の端末ＩＤの他、体温測定デバイス１０のデバイスＩＤを記憶している。体温測定デバイス１０のデバイスＩＤは、体温測定デバイス１０の初期設定時に利用者端末１２０とペアリングする際に、体温測定デバイス１０から取得され、メモリ２６に記憶される。また、メモリ２６には、体温測定デバイス１０から取得した体温データ及び外部温度データと、演算部２９にて生成された提供データが記憶されている。その他にメモリ２６には、本システムによるサービスの利用者の生年月日や身長、体重等の属性情報の他、初期設定時に利用者が操作部２３を介して入力した情報が記憶されているとともに、初期設定後にサービスの利用者によってイベント情報として入力された、生理開始の有無や性交渉の有無、飲酒の有無、寝不足の有無、服薬の有無、おりものの有無等の情報に応じて、生理日や性交渉日、飲酒日、寝不足日、服薬日、おりものがあった日等の情報が記憶されている。
【０１０１】
表示部２７は、メモリ２６に記憶された情報を表示する。
【０１０２】
データ取得部２８は、利用者端末１２０の全体の動作を制御する制御部の一部として構成されている。データ取得部２８は、体温測定デバイス１０から送信されたアドバタイズ信号をＢＬＥ通信部２１を介して受信した場合に、体温データを要求する体温データ要求信号をＢＬＥ通信部２１を介して送信し、その後、これに対して体温測定デバイス１０から送信された体温データ及び外部温度データをＢＬＥ通信部２１を介して取得してメモリ２６に一時的に記憶させる。
【０１０３】
演算部２９は、メモリ２６に記憶された利用者データを参照し、データ取得部２８にて取得された体温データ及び外部温度データを用いた所定の演算を行うことで、利用者端末２０のユーザに提供する提供データを生成してメモリ２６に記憶させる。
【０１０４】
以下に、上記のように構成された体温データ管理システムにおける処理について説明する。
【０１０５】
利用者が本システムに登録する場合は、第１の実施の形態に示したものと同様に体温測定デバイス１０と利用者端末１２０とのペアリングを行うとともに、利用者情報を利用者端末１２０に入力し、メモリ２６に記憶させておく。
【０１０６】
その後、体温測定デバイス１０において、第１の実施の形態に示したものと同様にして測定処理が行われ、体温測定デバイス１０にて測定された体温データが利用者端末１２０にて取得され、取得された体温データに基づいて提供データが生成されることになる。
【０１０７】
図７は、図６に示した体温データ管理システムにおいて、体温測定デバイス１０にて測定された体温データが利用者端末１２０にて取得され、取得された体温データに基づいて提供データが生成されるまでの処理を説明するためのフローチャートである。
【０１０８】
スリープ状態となっている体温測定デバイス１０は、体温センサ１１及び外部温度センサ１２における測定の開始時刻から日時タイマ１３にて計測される経過時間が、メモリ１５に予め決められた時刻として記憶された時間となると（ステップ１１１，１１２）、処理部１７において、通信開始信号となるアドバタイズ信号がＢＬＥ通信部１６を介して送信される（ステップ１１３）。例えば、メモリ１５には、例えば体温センサ１１及び外部温度センサ１２における測定の開始時刻から４時間後という時間が設定されている。なお、アドバタイズ信号は、体温測定デバイス１０の存在を示すものであり、体温測定デバイス１０のデバイスＩＤ等の識別情報が含まれている。
【０１０９】
一方、待機状態にある利用者端末１２０において、体温測定デバイス１０から送信されたアドバタイズ信号が利用者端末１２０のＢＬＥ通信部２１を介してデータ取得部２８にて受信されると（ステップ１１４，１１５）、データ取得部２８において、体温データを要求する体温データ要求信号がＢＬＥ通信部２１を介して送信される（ステップ１１６）。
【０１１０】
その後、体温測定デバイス１０の処理部１７において、利用者端末１２０から送信された体温データ要求信号がＢＬＥ通信部１６を介して受信されると（ステップ１１７）、メモリ１５に記憶された体温データ及び外部温度データが読み出され、デバイスＩＤとともにＢＬＥ通信部１６を介して利用者端末１２０に送信される（ステップ１１８）。
【０１１１】
そして、体温測定デバイス１０から送信された体温データ及び外部温度データが、利用者端末１２０のＢＬＥ通信部２１を介してデータ取得部２８にて受信されると、取得された体温データ及び外部温度データがメモリ２６に一時的に記憶される（ステップ１１９）。これにより、体温測定デバイス１０にて測定された体温データ及び外部温度データが利用者端末２０にて自動的に取得されることになる。
【０１１２】
なお、本形態においては、体温測定デバイス１０の体温センサ１１及び外部温度センサ１２における体温データ及び外部温度データの測定の開始時刻から４時間後に、利用者端末１２０にて体温データ及び外部温度データを取得しているが、これは、後述する体温データ及び外部温度データを用いた演算のために十分な時間分であれば、４時間に限らない。また、上述したように、体温センサ１１及び外部温度センサ１２における体温データ及び外部温度データの測定が６時間行われるのであれば、体温測定デバイス１０の体温センサ１１及び外部温度センサ１２における体温データ及び外部温度データの測定の開始時刻から６時間後に、利用者端末１２０にて体温データ及び外部温度データを取得する構成とすることで、体温測定デバイス１０にて測定された体温データ及び外部温度データを利用者端末１２０にて一度に取得することができる。
【０１１３】
体温測定デバイス１０においては、１日分の体温データ及び外部温度データを全て送信した後、（ステップ１２０）、処理部１７によって、メモリ１５に記憶された体温データ及び外部温度データが消去される（ステップ１２１）。
【０１１４】
一方、利用者端末１２０の演算部２９においては、メモリ２６に一時的に記憶された体温データ及び外部温度データが読み出され、読み出された体温データ及び外部温度データに基づいて、提供データの一部となる基礎体温データが算出される。また、演算部２９において、メモリ２６に記憶された生理日、性交渉日、飲酒日、寝不足日等の情報が読み出され、算出された基礎体温データと、メモリ２６から読み出された生理日、性交渉日、飲酒日、寝不足日等の情報とに基づいて、生理の予測日、排卵の予測日、妊娠のしやすさ等が演算して求められることで提供データが生成される（ステップ１２２）。
【０１１５】
その後、利用者端末１２０においては、データ取得部２８によって、メモリ２６に記憶された体温データ及び外部温度データが消去され（ステップ１２３）、利用者端末１２０は、待機状態に移行する（ステップ１２４）。
【０１１６】
その後、利用者が利用者端末１２０にて所定のアプリを起動させると、データ取得部２８において、メモリ２６に記憶された提供データが、操作部２３にて指定された条件に応じた形態に加工され、表示部２７に表示されることになる。
【０１１７】
上述したように、本形態においても、体温測定デバイス１０にて測定された体温データが、予め決められた時刻に利用者端末１２０にて自動的に取得され、利用者端末１２０において、体温データに基づいて提供データが生成されるため、利用者が煩わしい操作を行うことなく、体温を測定し、測定された体温データに基づく提供データを得ることができるとともに、測定された体温データが無意識のうちに利用できなくなってしまう可能性を低減できる。
【符号の説明】
【０１１８】
１    下着
２    利用者
１０    体温測定デバイス
１１    体温センサ
１２    外部温度センサ
１３，２４，３２    日時タイマ
１４    アラームランプ
１５，２６    メモリ
１６，２１    ＢＬＥ通信部
１７    処理部
２０，１２０    利用者端末
２２，３１    ネット通信部
２３    操作部
２５    アラーム出力部
２７    表示部
２８    データ取得部
２９，３３    演算部
３０    管理サーバ
３４    データベース
３５    データ提供部
４０    通信ネットワーク
【図１】
2020024133.tif 000003
【図２】
2020024133.tif 000004
【図３】
2020024133.tif 000005
【図４】
2020024133.tif 000006
【図５】
2020024133.tif 000007
【図６】
2020024133.tif 000008
【図７】
2020024133.tif 000009